(57)【要約】  【課題】  利用者が、事前に電子メールアドレスの登録等の処理を行うことなく、簡便な操作で電動車両のバッテリーの充電状況を確認することのできる充電システムおよび接続情報提供装置を提供する。  【解決手段】  充電装置１が充電状況を該充電装置１を識別する装置識別情報とともに充電状況管理装置２に通知し、接続情報提供部１５が非接触通信により携帯電話機４から該携帯電話機４のＩＤ格納部４２に記憶されている電話機識別情報を取得した場合に、取得した電話機識別情報を装置識別情報とともに充電状況管理装置２に通知し、電話機識別情報または電話機識別情報に基づいて生成した情報を含み、充電状況管理装置２へインターネット６を介して接続するための接続情報を非接触通信により携帯電話機４に提供する。【選択図】        図１
2012135151.tif 000002
【特許請求の範囲】
【請求項１】
電動車両のバッテリーに充電を行う充電システムであって、
電動車両のバッテリーに充電を行う充電装置と、
前記充電装置による充電の状況を示す充電状況情報を管理する充電状況管理装置と
を具備し、
前記充電装置は、
予め設定された装置識別情報と前記充電状況情報とを含む充電情報を前記充電状況管理装置に通知する充電状況通知手段と、
携帯電話機との間で非接触通信を行い、該携帯電話機または該携帯電話機の非接触通信機能部に固有の情報を電話機識別情報として取得する取得手段と、
前記取得手段が取得した電話機識別情報と前記装置識別情報とを関連付けて前記充電状況管理装置に通知する識別情報通知手段と、
前記取得手段が取得した電話機識別情報または該電話機識別情報に基づいて生成した情報と、通信網を介して前記充電状況管理装置に接続するための情報とを含む接続情報を生成する生成手段と、
前記携帯電話機との間で非接触通信を行い、該携帯電話機に前記生成手段が生成した接続情報を提供する提供手段と
を具備し、
前記充電状況管理装置は、
前記充電装置から通知された充電情報を記憶する記憶手段と、
前記通信網を介して前記携帯電話機から前記接続情報を利用した接続があった際に、該接続情報に基づいて前記電話機識別情報を特定し、該特定した電話機識別情報と関連付けられた装置識別情報を特定し、該特定した装置識別情報を含む充電情報を前記記憶手段から抽出する充電情報抽出手段と、
前記充電情報抽出が抽出した充電情報に基づいて、該充電情報に含まれる充電状況情報を前記携帯電話機で閲覧可能な閲覧情報に加工して該携帯電話機に提供する閲覧情報提供手段と
を具備する
ことを特徴とする充電システム。
【請求項２】
前記接続情報を提供する接続情報提供装置をさらに具備し、
前記接続情報提供装置は、
携帯電話機との間で非接触通信を行い、該携帯電話機または該携帯電話機の非接触通信機能部に固有の情報を電話機識別情報として取得する第２の取得手段と、
前記第２の取得手段が取得した電話機識別情報または該電話機識別情報に基づいて生成した情報と、通信網を介して前記充電状況管理装置に接続するための情報とを含む接続情報を生成する第２の生成手段と、
前記携帯電話機との間で非接触通信を行い、該携帯電話機に前記第２の生成手段が生成した接続情報を提供する提供手段と
を具備する
ことを特徴とする請求項１記載の充電システム。
【請求項３】
電動車両のバッテリーへの充電状況を、携帯電話機または該携帯電話機の非接触通信機能部に固有の情報に基づいて管理する充電状況管理装置に通信網を介して接続するための接続情報を提供する接続情報提供装置であって、
携帯電話機との間で非接触通信を行い、該携帯電話機または該携帯電話機の非接触通信機能部に固有の情報を電話機識別情報として取得する取得手段と、
前記取得手段が取得した電話機識別情報または該電話機識別情報に基づいて生成した情報と、前記通信網を介して前記充電状況管理装置に接続するための情報とを含む接続情報を生成する生成手段と、
前記携帯電話機との間で非接触通信を行い、該携帯電話機に前記生成手段が生成した接続情報を提供する提供手段と
を具備することを特徴とする接続情報提供装置。
【発明の詳細な説明】
【技術分野】
【０００１】
本発明は、充電システムおよび接続情報提供装置に関し、特に、電動車両のバッテリーに対して充電を行う充電システムおよび接続情報提供装置に関する。
【背景技術】
【０００２】
近年、環境問題等を背景に、電気自動車、電動バイクならびに電動モータにより走行を補助する自転車などの電動車両が普及しつつある。電動車両は、その走行のためのエネルギー源となる電力をバッテリーから得るため、バッテリーに充電を行う必要がある。このバッテリーへの充電は、内燃機関を利用して走行する従来の自動車に対する燃料補給に比べて、長時間を要するものである。このため、バッテリーへの充電を効率良く行うことが、電動車両を普及させるための課題の１つとなっている。
【０００３】
バッテリーへの充電を効率良く行う方法としては、例えば、ショッピングモール等で駐車場に電動車両が駐車された際に、その駐車時間を利用してバッテリーへの充電を行うことが考えられる。
【０００４】
このような形態で、バッテリーへの充電を行う場合には、利用者から、その充電状況を確認したいといった要求が発生することが考えられる。
【０００５】
このような要求に答えることのできる技術としては、例えば、電子メールを利用して、充電装置または電動車両自体から、利用者の携帯電話に充電状況を通知するようにしたものが考えられる（例えば、特許文献１参照）。
【先行技術文献】
【特許文献】
【０００６】
【特許文献１】特開２００８−２４９６３３号公報
【発明の概要】
【発明が解決しようとする課題】
【０００７】
しかしながら、バッテリーへの充電状況を、電子メールを利用して利用者に通知する場合には、事前に電子メールのメールアドレスを登録する必要があり、充電装置の提供者（運営企業等）が異なる場合には、その都度、電子メールのメールアドレスを登録する必要が生じることも考えられる。
【０００８】
そこで、本発明は、利用者が、事前に電子メールアドレスの登録等の処理を行うことなく、簡便な操作で電動車両のバッテリーの充電状況を確認することのできる充電システムおよび接続情報提供装置を提供することを目的とする。
【課題を解決するための手段】
【０００９】
上述した目的を達成するため、請求項１の発明は、電動車両のバッテリーに充電を行う充電システムであって、電動車両のバッテリーに充電を行う充電装置と、前記充電装置による充電の状況を示す充電状況情報を管理する充電状況管理装置とを具備し、前記充電装置は、予め設定された装置識別情報と前記充電状況情報とを含む充電情報を前記充電状況管理装置に通知する充電状況通知手段と、携帯電話機との間で非接触通信を行い、該携帯電話機または該携帯電話機の非接触通信機能部に固有の情報を電話機識別情報として取得する取得手段と、前記取得手段が取得した電話機識別情報と前記装置識別情報とを関連付けて前記充電状況管理装置に通知する識別情報通知手段と、前記取得手段が取得した電話機識別情報または該電話機識別情報に基づいて生成した情報と、通信網を介して前記充電状況管理装置に接続するための情報とを含む接続情報を生成する生成手段と、前記携帯電話機との間で非接触通信を行い、該携帯電話機に前記生成手段が生成した接続情報を提供する提供手段とを具備し、前記充電状況管理装置は、前記充電装置から通知された充電情報を記憶する記憶手段と、前記通信網を介して前記携帯電話機から前記接続情報を利用した接続があった際に、該接続情報に基づいて前記電話機識別情報を特定し、該特定した電話機識別情報と関連付けられた装置識別情報を特定し、該特定した装置識別情報を含む充電情報を前記記憶手段から抽出する充電情報抽出手段と、前記充電情報抽出が抽出した充電情報に基づいて、該充電情報に含まれる充電状況情報を前記携帯電話機で閲覧可能な閲覧情報に加工して該携帯電話機に提供する閲覧情報提供手段とを具備することを特徴とする。
【００１０】
また、請求項２の発明は、請求項１の発明において、前記接続情報を提供する接続情報提供装置をさらに具備し、前記接続情報提供装置は、携帯電話機との間で非接触通信を行い、該携帯電話機または該携帯電話機の非接触通信機能部に固有の情報を電話機識別情報として取得する第２の取得手段と、前記第２の取得手段が取得した電話機識別情報または該電話機識別情報に基づいて生成した情報と、通信網を介して前記充電状況管理装置に接続するための情報とを含む接続情報を生成する第２の生成手段と、前記携帯電話機との間で非接触通信を行い、該携帯電話機に前記第２の生成手段が生成した接続情報を提供する提供手段とを具備することを特徴とする。
【００１１】
また、請求項３の発明は、電動車両のバッテリーへの充電状況を、携帯電話機または該携帯電話機の非接触通信機能部に固有の情報に基づいて管理する充電状況管理装置に通信網を介して接続するための接続情報を提供する接続情報提供装置であって、携帯電話機との間で非接触通信を行い、該携帯電話機または該携帯電話機の非接触通信機能部に固有の情報を電話機識別情報として取得する取得手段と、前記取得手段が取得した電話機識別情報または該電話機識別情報に基づいて生成した情報と、前記通信網を介して前記充電状況管理装置に接続するための情報とを含む接続情報を生成する生成手段と、前記携帯電話機との間で非接触通信を行い、該携帯電話機に前記生成手段が生成した接続情報を提供する提供手段とを具備することを特徴とする。
【発明の効果】
【００１２】
本発明によれば、電動車両のバッテリーに対する充電状況を、アドレス等の事前登録を行うことなく、遠隔地から確認することが可能となる。
【図面の簡単な説明】
【００１３】
【図１】充電システムの構成例を示すブロック図である。
【図２】充電システムの詳細を示すブロック図である。
【図３】充電システムの動作の流れを示した図である。
【図４】携帯電話機４に表示させる画面の例を示した図である。
【図５】実施例２で説明する充電システムの構成例を示した図である。
【図６】実施例２で説明する充電システムの動作の流れを示した図である。
【発明を実施するための形態】
【００１４】
以下、本発明に係る充電システムおよび接続情報提供装置の一実施の形態について、添付図面を参照して詳細に説明する。
【実施例１】
【００１５】
図１は、充電システムの構成例を示すブロック図である。充電システムは、複数の充電装置１−１〜１−ｎと、充電状況管理装置２により構成される。
【００１６】
充電装置１−１〜１−ｎは、それぞれ、電気的に接続された電動車両３−１〜３−ｎに対して、そのバッテリーを充電するとともに、充電状況を充電状況管理装置２に定期的に通知する。また、充電装置１−１〜１−ｎは、携帯電話機４に対して、充電状況を確認するための接続情報を提供する。なお、当然のことであるが、充電装置１−１〜１−ｎと電動車両３−１〜３−ｎは、常に接続されているわけではなく、また、その接続の組み合わせも任意である。
【００１７】
充電状況管理装置２は、充電装置１−１〜１−ｎのそれぞれと、通信可能に接続されるとともに、携帯電話機４から電話網５とインターネット６を介して通信が確立した際に、携帯電話機４に対してサーバとして動作して、充電状況を通知する。なお、充電装置１−１〜１−ｎのそれぞれと充電状況管理装置２との通信は、専用の通信線を用いて行ってもよく、インターネット６を介して行ってもよい。
【００１８】
次に、充電装置１−１〜１−ｎ、充電状況管理装置２、携帯電話機４の詳細について説明する。図２は、充電システムの詳細を示すブロック図である。
【００１９】
同図に示すように、充電装置１は、制御部１０と、記憶部１１、通信部１２、充電制御部１３、充電部１４、接続情報提供部１５を有し、接続情報提供部１５は、制御部１６と記憶部１７、ＲＷ部１８、アンテナ部１９を有している。なお、充電装置１は、充電装置１−１〜１−ｎのうち、任意の１つに相当するものである。
【００２０】
制御部１０は、充電装置１の全体を制御するもので、演算処理を行うプロセッサ等で構成され、プログラムに従って動作するものである。
【００２１】
記憶部１１は、制御部１０が動作する際に必要な情報のほか、充電装置１を識別するための充電装置１に固有のＩＤ（識別情報）を記憶するもので、半導体を利用した記憶素子等で構成される。
【００２２】
通信部１２は、充電状況管理装置２と通信を行うもので、例えば、ネットワークアダプタにより構成されるものである。
【００２３】
充電制御部１３は、充電部１４による電動車両３のバッテリーへの充電を制御するもので、演算処理を行うプロセッサ等で構成され、プログラムに従って動作するものである。
【００２４】
充電部１４は、電動車両３のバッテリーへ充電を行うための電気回路である。
【００２５】
接続情報提供部１５は、携帯電話機４との間で無線による非接触通信（短距離通信）を行い、携帯電話機４からの識別情報の取得を行い、携帯電話機４に対して充電状況管理装置２に接続するための情報を提供する。
【００２６】
制御部１６は、接続情報提供部１５の全体を制御するもので、演算処理を行うプロセッサ等で構成され、プログラムに従って動作するものである。
【００２７】
記憶部１７は、制御部１６が動作する際に必要な情報のほか、接続情報提供部１５を識別するための接続情報提供部１５に固有のＩＤ（識別情報）、充電状況管理装置２にインターネット６を経由して接続するための情報であるＵＲＬ（Uniform Resource Locator）を記憶するもので、半導体を利用した記憶素子等で構成される。また、記憶部１７は、充電装置１や携帯電話機４から取得した情報を必要に応じて一時記憶する。
【００２８】
ＲＷ部１８は、携帯電話機４との間で無線による非接触通信を行い、携帯電話機４からの識別情報の読み取り、携帯電話機４に対して充電状況管理装置２に接続するための情報の書き込みを行う。
【００２９】
アンテナ部１９は、ＲＷ部１８が携帯電話機４との間で非接触通信を行うためのアンテナである。
【００３０】
携帯電話機４は、制御部４０とアンテナ部４１、ＩＤ格納部４２、表示部４３、操作部４４、通信部４５、記憶部４６を有している。
【００３１】
制御部４０は、携帯電話機４の全体を制御するものである。
【００３２】
アンテナ部４１は、接続情報提供部１５との間で非接触通信を行うためのアンテナである。
【００３３】
ＩＤ格納部４２は、携帯電話機４またはＩＤ格納部４２自体に固有となるＩＤ（識別情報）を格納するとともに、接続情報提供部１５との間で非接触通信を行う部分である。例えば、接続情報提供部１５との間で、Ｆｅｌｉｃａ（登録商標）の規格を用いて非接触通信を行う場合には、このＩＤ格納部４２は、Ｆｅｌｉｃａチップに相当し、識別情報としては、Ｆｅｌｉｃａチップの製造番号であるＩＤｍが相当する。
【００３４】
表示部４３は、携帯電話機４の利用者に対して情報等を表示するものであり、液晶表示器等により構成される。
【００３５】
操作部４４は、携帯電話機４の利用者が情報の入力等を行うものであり、キーボード等により構成される。
【００３６】
通信部４５は、電話網５との通信を行う。
【００３７】
記憶部４６は、各種情報と記憶するほか、接続情報提供部１５から取得したＵＲＬを一時的または消去が指示されるまでの間、これを記憶する。
【００３８】
なお、携帯電話機４は、ＩＤ格納部４２に相当するものを有するものであれば、汎用の携帯電話機を利用することができ、接続情報提供部１５から取得したＵＲＬを用いて、電話網５、インターネット６を介して充電状況管理装置２に接続するためのプログラムを追加するだけでよく、ＩＤ格納部４２に相当するものを利用してアドレス情報の授受を行うことができるものであれば、汎用の携帯電話機をそのまま利用することもできる。
【００３９】
また、充電状況管理装置２は、制御部２０と記憶部２１、通信部２２を有している。充電状況管理装置２は、サーバとして利用可能なコンピュータにより構成され、このコンピュータをプログラムに従って動作させることで、制御部２０等を実現する。
【００４０】
制御部２０は、充電状況管理装置２の全体を制御するもので、充電装置１から通知された充電状況を管理するとともに、インターネット６を介して携帯電話機４から接続があった際に、対応する充電装置１の充電状況を通知する。なお、対応する充電装置１を特定する方法については後述する。
【００４１】
記憶部２１は、制御部２０を動作させるプログラムのほか、各充電装置１から通知された充電状況を記憶する。この記憶部２１は、例えば、磁気ディスクを用いた記憶装置等で構成される。
【００４２】
通信部２２は、充電装置１やインターネット６との間で通信を行うもので、例えば、ネットワークアダプタにより構成されるものである。
【００４３】
次に、充電システムの動作の流れを説明する。図３は、充電システムの動作の流れを示した図である。
【００４４】
まず、充電システムを動作させるため、充電装置１の電源をＯＮにすると（ステップ１０１）、制御部１０と接続情報提供部１５の両者に電力が供給され、これらが動作を開始する。なお、充電状況管理装置２は、メンテナンス等で必要となる場合を除き、常時、電源ＯＮの状態であり、ここでは、既に電源ＯＮとなっているものとする。また、携帯電話機４については、各利用者が電源を操作するものであり、ここでは、電源ＯＮの状態で利用されるものとする。
【００４５】
制御部１０と接続情報提供部１５の両者が動作を開始すると、まず、制御部１０が、記憶部１１に記憶されている識別情報（以下、充電装置識別情報と称する）を、接続情報提供部１５に通知し（ステップ１０２）、接続情報提供部１５は、記憶部１７に充電装置識別情報を記憶する。
【００４６】
その後、電動車両３が駐車（駐輪を含む）され、充電装置１と接続される等の充電のための準備が整うと、制御部１０は、充電制御部１３を動作させ、電動車両３のバッテリーへの充電を開始する（ステップ１０３）。
【００４７】
充電が開始されると、制御部１０は、充電制御部１３から定期的に充電状況を取得し、取得した充電状況と充電装置識別情報とを充電情報として通信部１２を介して充電状況管理装置２に通知する（ステップ１０４−１〜１０４−ｍ）。このとき、充電状況管理装置２は、通知された充電情報を記憶部２１に記憶する。なお、充電状況管理装置２は、充電情報の通知があった際には、同じ充電装置識別情報を有する充電情報を削除し、最新の充電情報のみを記憶するようにしてもよい。
【００４８】
また、制御部１０は、充電が開始されたことを、接続情報提供部１５にも通知する（ステップ１０５）。ただし、この接続情報提供部１５への充電開始の通知は、行わなくてもよい。
【００４９】
その後、充電を開始した電動車両３の利用者が、携帯電話機４を接続情報提供部１５のアンテナ部１９の近傍に翳すと、携帯電話機４と接続情報提供部１５との間で非接触通信が行われ（ステップ１０６）、この非接触通信により、ＲＷ部１８が携帯電話機のＩＤ格納部４２に格納されている識別情報（以下、電話機識別情報と称する）を読み出し（ステップ１０７）、読み出した電話機識別情報を利用したＵＲＬを携帯電話機４に提供する（ステップ１０８）。携帯電話機４に提供するＵＲＬは、例えば、「http://www.xxx.xxx.jp/ABCDE/」のように、充電状況管理装置２のアドレス及び接続のためのプロトコルに対応する「http://www.xxx.xxx.jp」に、電話機識別情報またはこれを暗号化した「ABCDE」をパスとして加えたものや、「http://www.xxx.xxx.jp/Charge=ABCDE」のように、充電状況管理装置２のアドレス及び接続のためのプロトコルに対応する「http://www.xxx.xxx.jp」に、電話機識別情報またはこれを暗号化した「ABCDE」を引数として加えたもの等となる。また、携帯電話機４に提供するＵＲＬに、接続情報提供部１５を識別するための情報を加えるようにしてもよい。
【００５０】
また、接続情報提供部１５は、携帯電話機４と接続情報提供部１５との間で非接触通信が行われると、この非接触通信で取得した電話機識別情報と、記憶部１７に記憶している充電装置識別情報をを組にして、充電状況管理装置２に通知する（ステップ１０９）。
【００５１】
一方、接続情報提供部１５との間で非接触通信を行った携帯電話機４は、提供されたＵＲＬに基づいて、充電状況管理装置２への接続指示を受け付けるための画面を表示部４３に表示する。この画面は、例えば、図４（ａ）に示すようなものとなる。この画面が表示された状態で、利用者が携帯電話機４の操作部４４から充電状況管理装置２への接続を指示、つまり、充電状況の閲覧を指示する操作を行うと（ステップ１１０）、携帯電話機４は、充電状況管理装置２への接続を確認するための画面を表示部４３に表示する。この画面は、例えば、図４（ｂ）に示すようなものとなる。そして、利用者が携帯電話機４の操作部４４から確認の入力を行うと、携帯電話機４は、電話網５とインターネット６とを介して充電状況管理装置２に接続する（ステップ１１１）。このとき、接続情報提供部１５から取得したＵＲＬに引数が含まれている場合には、充電状況管理装置２に引数を通知する。
【００５２】
携帯電話機４からの接続があると、充電状況管理装置２は、その接続先（ＵＲＬが示すパス）または通知された引数に基づいて、携帯電話機４に対応する電話機識別情報を特定し、先に接続情報提供部１５から通知された（ステップ１０９で通知された）充電装置識別情報と電話機識別情報の組から、特定した電話機識別情報に対応する充電装置識別情報を特定し、特定した充電装置識別情報を含む充電情報（ステップ１０４−１〜で取得したもの）から、充電状況を特定する（ステップ１１２）。このとき、充電状況管理装置２は、特定した充電装置識別情報を含む充電情報が複数存在する場合には、最新の充電情報から充電状況を特定する。
【００５３】
そして、充電状況を特定した充電状況管理装置２は、携帯電話機４に、特定した充電状況を通知し（ステップ１１３）、これを受けた携帯電話機４は、充電状況を示す画面を表示部４３に表示する。この画面は、例えば、図４（ｃ）に示すようなものとなる。
【００５４】
なお、携帯電話機４からの接続先（ＵＲＬが示すパス）または通知された引数に、接続情報提供部１５を識別するための情報が含まれている場合には、充電状況管理装置２は、これを充電情報の特定に利用してもよい。
【００５５】
また、制御部１０は、充電装置１と電動車両３の電気的な接続が解除された場合、つまり、電動車両３のバッテリーへの充電が終了して電動車両３が移動した場合に、この旨を充電状況管理装置２に通知し（ステップ１１４）、当該通知に基づいて、充電状況管理装置２が関連する充電情報を記憶部２１から削除するようにしてもよい（ステップ１１５）。ただし、充電状況管理装置２は、電話機識別情報から最新の充電情報を特定するため、ステップ１１４とステップ１１５の処理を行わなくとも、例えば、電動車両３が充電終了後に、別の充電装置１で充電を開始した場合でも、適切な充電状況を通知することができる。
【００５６】
また、利用者は、接続情報提供部１５から通知されたＵＲＬを携帯電話機４に、ブックマーク等として記憶しておくことで、充電状況の閲覧（ステップ１１０からステップ１１３に相当する処理）を繰り返して行うことも可能である。
【実施例２】
【００５７】
実施例１で説明した例では、利用者が充電状況の閲覧を繰り返し行う場合には、接続情報提供部１５から通知されたＵＲＬを携帯電話機４に記憶しておく必要があったが、実施例２では、ＵＲＬの記憶を行うことなく、充電状況の閲覧を繰り返し行えるようにした例を説明する。
【００５８】
図５は、実施例２で説明する充電システムの構成例を示した図である。同図に示す充電システムは、実施例１で説明した充電システム（図１参照）に、接続情報提供端末７を追加したものである。なお、同図中では、接続情報提供端末７を１台のみ示しているが、接続情報提供端末７は、複数台設置することも可能である。
【００５９】
接続情報提供端末７は、充電装置１の接続端末提供部１５の機能の一部を有するものであり、制御部７０と記憶部７１、ＲＷ部７２、アンテナ部７３を有している。
【００６０】
制御部７０は、接続情報提供端末７の全体を制御するもので、演算処理を行うプロセッサ等で構成され、プログラムに従って動作するものである。
【００６１】
記憶部７１は、制御部７０が動作する際に必要な情報のほか、接続情報提供端末７を識別するための固有のＩＤ（識別情報）、充電状況管理装置２にインターネット６を経由して接続するための情報であるＵＲＬ（Uniform Resource Locator）を記憶するもので、半導体を利用した記憶素子等で構成される。また、記憶部７１は、携帯電話機４から取得した情報を必要に応じて一時記憶する。
【００６２】
ＲＷ部７２は、携帯電話機４との間で無線による非接触通信を行い、携帯電話機４からの識別情報の読み取り、携帯電話機４に対して充電状況管理装置２に接続するための情報の書き込みを行う。
【００６３】
アンテナ部７３は、ＲＷ部７２が携帯電話機４との間で非接触通信を行うためのアンテナである。
【００６４】
また、接続情報提供端末７は、充電装置１や充電状況管理装置２と通信を行う必要が無く、任意の場所に設置できるものである。
【００６５】
この接続情報提供端末７は、充電装置１とは異なる場所に設置して利用するもので、例えば、充電装置１がショッピングモール等の駐車場に併設されているとすれば、当該ショッピングモールの店舗内または店舗近傍等に設置される。
【００６６】
次に、充電システムの動作の流れを説明する。図６は、充電システムの動作の流れを示した図である。なお、ここで説明する動作は、実施例１で説明した動作と重複する部分もあるため、図３も参照して説明を行う。
【００６７】
まず、充電システムを動作させるため、充電装置１の電源をＯＮにすると（図３のステップ１０１）、制御部１０と接続情報提供部１５の両者に電力が供給され、これらが動作を開始する。また、接続情報提供端末７は、別途、電源がＯＮにされ、電源ＯＮの状態であるものとする。
【００６８】
制御部１０と接続情報提供部１５の両者が動作を開始すると、まず、制御部１０が、記憶部１１に記憶されている識別情報（以下、充電装置識別情報と称する）を、接続情報提供部１５に通知し（ステップ１０２）、接続情報提供部１５は、記憶部１７に充電装置識別情報を記憶する。
【００６９】
その後、電動車両３が駐車（駐輪を含む）され、充電装置１と接続される等の充電のための準備が整うと、制御部１０は、充電制御部１３を動作させ、電動車両３のバッテリーへの充電を開始する（ステップ１０３）。
【００７０】
充電が開始されると、制御部１０は、充電制御部１３から定期的に充電状況を取得し、取得した充電状況と充電装置識別情報とを充電情報として通信部１２を介して充電状況管理装置２に通知する（ステップ１０４−１〜１０４−ｍ、図６のステップ１０４−ｐ、１０４−ｑ）。このとき、充電状況管理装置２は、通知された充電情報を記憶部２１に記憶する。なお、充電状況管理装置２は、充電情報の通知があった際には、同じ充電装置識別情報を有する充電情報を削除し、最新の充電情報のみを記憶するようにしてもよい。
【００７１】
また、制御部１０は、充電が開始されたことを、接続情報提供部１５にも通知する（ステップ１０５）。ただし、この接続情報提供部１５への充電開始の通知は、行わなくてもよい。
【００７２】
その後、充電を開始した電動車両３の利用者が、携帯電話機４を接続情報提供部１５のアンテナ部１９の近傍に翳すと、携帯電話機４と接続情報提供部１５との間で非接触通信が行われ（ステップ１０６）、この非接触通信により、ＲＷ部１８が携帯電話機のＩＤ格納部４２に格納されている電話機識別情報を読み出し（ステップ１０７）、読み出した電話機識別情報を利用したＵＲＬを携帯電話機４に提供する（ステップ１０８）。提供するＵＲＬは実施例１の場合と同様のものである。ただし、接続情報提供部１５は、携帯電話機４に対するＵＲＬの提供を行わなくてもよい。
【００７３】
また、接続情報提供部１５は、携帯電話機４と接続情報提供部１５との間で非接触通信が行われると、この非接触通信で取得した電話機識別情報と、記憶部１７に記憶している充電装置識別情報をを組にして、充電状況管理装置２に通知する（ステップ１０９）。
【００７４】
一方、携帯電話機４と接続情報提供部１５との間で非接触通信が行われた後に、電動車両３の利用者が移動し、携帯電話機４を接続情報提供端末７アンテナ部７３の近傍に翳すと、携帯電話機４と接続情報提供端末７との間で非接触通信が行われ（図６のステップ１５１）、この非接触通信により、ＲＷ部７２が携帯電話機のＩＤ格納部４２に格納されている電話機識別情報を読み出し（ステップ１５２）、読み出した電話機識別情報を利用したＵＲＬを携帯電話機４に提供する（ステップ１５３）。提供するＵＲＬは実施例１の場合と同様のもので、電話機識別情報に基づくものである。また、携帯電話機４に提供するＵＲＬに、接続情報提供端末７を識別するための情報を加えるようにしてもよい。
【００７５】
接続情報提供端末７との間で非接触通信を行った携帯電話機４は、提供されたＵＲＬに基づいて、充電状況管理装置２への接続指示を受け付けるための画面を表示部４３に表示する。この画面は、例えば、図４（ａ）に示すようなものとなる。この画面が表示された状態で、利用者が携帯電話機４の操作部４４から充電状況管理装置２への接続を指示、つまり、充電状況の閲覧を指示する操作を行うと（ステップ１５４）、携帯電話機４は、充電状況管理装置２への接続を確認するための画面を表示部４３に表示する。この画面は、例えば、図４（ｂ）に示すようなものとなる。そして、利用者が携帯電話機４の操作部４４から確認の入力を行うと、携帯電話機４は、電話網５とインターネット６とを介して充電状況管理装置２に接続する（ステップ１５５）。このとき、接続情報提供部１５から取得したＵＲＬに引数が含まれている場合には、充電状況管理装置２に引数を通知する。
【００７６】
携帯電話機４からの接続があると、充電状況管理装置２は、その接続先（ＵＲＬが示すパス）または通知された引数に基づいて、携帯電話機４に対応する電話機識別情報を特定し、先に接続情報提供部１５から通知された（図３のステップ１０９で通知された）充電装置識別情報と電話機識別情報の組から、特定した電話機識別情報に対応する充電装置識別情報を特定し、特定した充電装置識別情報を含む充電情報（ステップ１０４−１〜で取得したもの）から、充電状況を特定する（ステップ１５６）。このとき、充電状況管理装置２は、特定した充電装置識別情報を含む充電情報が複数存在する場合には、最新の充電情報から充電状況を特定する。
【００７７】
そして、充電状況を特定した充電状況管理装置２は、携帯電話機４に、特定した充電状況を通知し（ステップ１５７）、これを受けた携帯電話機４は、充電状況を示す画面を表示部４３に表示する。この画面は、例えば、図４（ｃ）に示すようなものとなる。
【００７８】
なお、携帯電話機４からの接続先（ＵＲＬが示すパス）または通知された引数に、接続情報提供端末７を識別するための情報が含まれている場合には、充電状況管理装置２は、これを充電情報の特定に利用してもよい。例えば、充電状況管理装置２が、接続情報提供端末７を識別するための情報を接続情報提供端末７の周辺に設置された充電装置１の装置識別情報と関連付けて記憶しておき、この関係から充電情報の候補を特定し、特定した充電情報の候補から電話機識別情報に対応する充電情報を特定する。
【００７９】
また、制御部１０は、充電装置１と電動車両３の電気的な接続が解除された場合、つまり、電動車両３のバッテリーへの充電が終了して電動車両３が移動した場合に、この旨を充電状況管理装置２に通知し（図３のステップ１１４）、当該通知に基づいて、充電状況管理装置２が関連する充電情報を記憶部２１から削除するようにしてもよい（ステップ１１５）。ただし、充電状況管理装置２は、電話機識別情報から最新の充電情報を特定するため、ステップ１１４とステップ１１５の処理を行わなくとも、例えば、電動車両３が充電終了後に、別の充電装置１で充電を開始した場合でも、適切な充電状況を通知することができる。
【００８０】
なお、前述したように、実施例２の充電システムでは、接続情報提供部１５は、携帯電話機４に対してＵＲＬを提供しなくてもよいため（ステップ１０８に相当する処理を行わない）、記憶部１７へのＵＲＬの記憶等の携帯電話機４に対してＵＲＬを提供するための機能を省略することもできる。
【符号の説明】
【００８１】
１、１−１〜１−ｎ    充電装置
２    充電状況管理装置
３、３−１〜３−ｎ    電動車両
４    携帯電話機
５    電話網
６    インターネット
７    接続情報提供端末
１０    制御部
１１    記憶部
１２    通信部
１３    充電制御部
１４    充電部
１５    接続情報提供部
１６    制御部
１７    記憶部
１８    ＲＷ部
１９    アンテナ部
２０    制御部
２１    記憶部
２２    通信部
４０    制御部
４１    アンテナ部
４２    ＩＤ格納部
４３    表示部
４４    操作部
４５    通信部
４６    記憶部
７０    制御部
７１    記憶部
７２    ＲＷ部
７３    アンテナ部
【図１】
2012135151.tif 000003
【図２】
2012135151.tif 000004
【図３】
2012135151.tif 000005
【図４】
2012135151.tif 000006
【図５】
2012135151.tif 000007
【図６】
2012135151.tif 000008